【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
モバイルデバイスを使用して、無線送信機が移動されたことを特定するための方法であって、
前記モバイルデバイスに近接する複数の無線送信機からの信号を測定することと、
前記モバイルデバイスにおいて、前記複数の無線送信機から候補無線送信機を特定することと、ここにおいて、前記候補無線送信機を特定することは、前記複数の無線送信機のうちの１つの無線送信機がモバイル無線アクセスポイントであるかどうかを、前記無線送信機が所定の期間にわたって所定の回数よりも多く移動したかどうかを決定することによって、決定することと、前記無線送信機がモバイル無線アクセスポイントでないことに応答して前記無線送信機を前記候補無線送信機として特定することとを備える、
前記モバイルデバイスにおいて、前記候補無線送信機に関連する基準無線周波数（ＲＦ）シグネチャを得ることと、前記基準ＲＦシグネチャは、前記候補無線送信機に関連する位置に依存しない情報を備える、
前記モバイルデバイスにおいて、前記候補無線送信機以外の前記複数の無線送信機のうちの少なくとも１つの無線送信機の前記測定された信号から前記候補無線送信機に関する観測された無線周波数（ＲＦ）シグネチャを導き出すことと、
前記モバイルデバイスにおいて、前記候補無線送信機に関する前記観測されたＲＦシグネチャを前記候補無線送信機に関連する前記基準ＲＦシグネチャと比較することによって前記候補無線送信機が新しい位置に移動されたかどうかを決定することと、
前記候補無線送信機が移動されたかどうかを示すインジケータを生成することと、
を備える、方法。
【請求項２】
前記基準ＲＦシグネチャを得ることは、
位置サーバから前記基準ＲＦシグネチャを受け取ること、または、
前記モバイルデバイスのメモリ内の前記基準ＲＦシグネチャにアクセスすること
をさらに備える、請求項１に記載の方法。
【請求項３】
前記候補無線送信機が移動したことを前記インジケータが示すことに応答して前記インジケータを位置サーバに送ることをさらに備える、
請求項１に記載の方法。
【請求項４】
前記候補無線送信機に関する前記観測されたＲＦシグネチャを前記候補無線送信機に関連する前記基準ＲＦシグネチャと比較することによって前記候補無線送信機が前記新しい位置に移動されたかどうかを決定することは、
前記候補無線送信機以外の前記複数の無線送信機のうちの少なくとも１つの無線送信機に関連する少なくとも１つの識別子を前記基準ＲＦシグネチャに関連する少なくとも１つの無線送信機の少なくとも１つの識別子と比較することをさらに備える、
請求項１に記載の方法。
【請求項５】
前記基準ＲＦシグネチャおよび前記観測されたＲＦシグネチャは、前記複数の無線送信機のうちの前記少なくとも１つの無線送信機に関連する受信信号強度または測定された経路損失のうちの少なくとも１つに基づいて導き出される、
請求項１に記載の方法。
【請求項６】
前記候補無線送信機に関する前記観測されたＲＦシグネチャを前記候補無線送信機に関連する前記基準ＲＦシグネチャと比較することによって前記候補無線送信機が前記新しい位置に移動されたかどうかを決定することは、
前記基準ＲＦシグネチャが生成された前記基準ＲＦシグネチャに関連する前記候補無線送信機からの第１の距離を前記観測されたＲＦシグネチャが生成された前記観測されたＲＦシグネチャに関連する前記候補無線送信機からの第２の距離と比較することをさらに備える、
請求項１に記載の方法。
【請求項７】
前記候補無線送信機が移動したことを前記インジケータが示すことに応答して前記候補無線送信機に関連する重みを調整することをさらに備え、前記重みは、前記候補無線送信機に関連する位置の信頼性を示す、
請求項１に記載の方法。
【請求項８】
モバイルデバイスを使用して、無線送信機が移動されたことを特定するための装置であって、
前記モバイルデバイスに近接する複数の無線送信機からの信号を測定するための手段と、
前記複数の無線送信機から候補無線送信機を特定するための手段と、ここにおいて、前記候補無線送信機を特定するための前記手段は、前記複数の無線送信機のうちの１つの無線送信機がモバイル無線アクセスポイントであるかどうかを、前記無線送信機が所定の期間にわたって所定の回数よりも多く移動したかどうかを決定することによって、決定するための手段と、前記無線送信機がモバイル無線アクセスポイントでないことに応答して前記無線送信機を前記候補無線送信機として特定するための手段とを備える、
前記モバイルデバイスにおいて、前記候補無線送信機に関連する基準無線周波数（ＲＦ）シグネチャを得るための手段と、前記基準ＲＦシグネチャは、前記候補無線送信機に関連する位置に依存しない情報を備える、
前記モバイルデバイスにおいて、前記候補無線送信機以外の前記複数の無線送信機のうちの少なくとも１つの無線送信機の前記測定された信号から前記候補無線送信機に関する観測された無線周波数（ＲＦ）シグネチャを導き出すための手段と、
前記モバイルデバイスにおいて、前記候補無線送信機に関する前記観測されたＲＦシグネチャを前記候補無線送信機に関連する前記基準ＲＦシグネチャと比較することによって前記候補無線送信機が新しい位置に移動されたかどうかを決定するための手段と、
前記モバイルデバイスにおいて、前記候補無線送信機が移動されたかどうかを示すインジケータを生成するための手段と、
を備える、装置。
【請求項９】
前記基準ＲＦシグネチャデータベースの少なくとも前記一部分を得るための前記手段は、
位置サーバから前記基準ＲＦシグネチャを受け取るための手段、または、
前記モバイルデバイスのメモリ内の前記基準ＲＦシグネチャにアクセスするための手段
をさらに備える、請求項８に記載の装置。
【請求項１０】
前記候補無線送信機が移動したことを前記インジケータが示すことに応答して前記インジケータを位置サーバに送るための手段をさらに備える、
請求項８に記載の装置。
【請求項１１】
前記候補無線送信機に関する前記観測されたＲＦシグネチャを前記候補無線送信機に関連する前記基準ＲＦシグネチャと比較することによって前記候補無線送信機が前記新しい位置に移動されたかどうかを決定するための前記手段は、
前記候補無線送信機以外の前記複数の無線送信機のうちの少なくとも１つの無線送信機に関連する少なくとも１つの識別子を前記基準ＲＦシグネチャに関連する少なくとも１つの無線送信機の少なくとも１つの識別子と比較するための手段をさらに備える、
請求項８に記載の装置。
【請求項１２】
前記候補無線送信機に関する前記観測されたＲＦシグネチャを前記候補無線送信機に関連する前記基準ＲＦシグネチャと比較することによって前記候補無線送信機が前記新しい位置に移動されたかどうかを決定するための前記手段は、
前記基準ＲＦシグネチャが生成された前記基準ＲＦシグネチャに関連する前記候補無線送信機からの第１の距離を前記観測されたＲＦシグネチャが生成された前記観測されたＲＦシグネチャに関連する前記候補無線送信機からの第２の距離と比較するための手段をさらに備える、
請求項８に記載の装置。
【請求項１３】
前記候補無線送信機が移動したことを前記インジケータが示すことに応答して前記候補無線送信機に関連する重みを調整するための手段をさらに備え、前記重みは、前記候補無線送信機に関連する位置の信頼性を示す、
請求項８に記載の装置。
【請求項１４】
前記候補無線送信機が移動したことを前記インジケータが示すことに応答して前記モバイルデバイスにおいて前記候補無線送信機の新しい位置を決定するための手段をさらに備える、
請求項８に記載の装置。
【請求項１５】
請求項１〜請求項９のいずれか一項のステップを実行するためのコンピュータ可読命令を格納した、非一時的なコンピュータ可読媒体。